(57)【特許請求の範囲】
【請求項１】
上部に連続する突条を備える堤形態のコンクリート建造物の成形方法であり、
前記突条の形成部位の一方側面に、成形用の面プレートにコンクリート導入用の開口が形成された型枠プレートを前記面プレートが沿うように配置し、
前記開口から前記型枠プレートが組まれて形成される型枠内に、コンクリートを前記突条の形成部位の上端位置に達するように導入し、
前記開口を閉じた状態においてコンクリートの固化を行う、
ことを特徴とするコンクリート建造物の成形方法。
【請求項２】
成形用の面プレートと、前記面プレート背面に配置されるホッパー部とを備え、
前記面プレートに、前記面プレートが使用されて構成される型枠内と前記ホッパー部内とを連通するコンクリート導入用の開口が開閉可能に設けられるとともに、
前記ホッパー部の下部にコンクリート排出用の開口が開閉可能に設けられてなることを特徴とする型枠装置。
【発明の詳細な説明】
【技術分野】
【０００１】  この発明は、コンクリート建造物の成形方法及びそれに使用する型枠装置に関する。
【背景技術】
【０００２】  防潮堤等の基礎部分等として上部に連続する突条を備える堤形態のコンクリート建造物を形成する場合がある（図５参照）。そのような上部に連続する突条を備える堤形態のコンクリート建造物は、各種形態の型枠を組み合わせ使用することにより建造するが、非常に手間がかかるとともに、突条を所定の形態に美しく仕上げることは難しかった。
【発明の概要】
【発明が解決しようとする課題】
【０００３】  この発明は上記の事情に鑑みて行ったもので、上部に連続する突条を備える堤形態のコンクリート建造物を、容易に、かつ、突条を所定の形態に美しく建造できるようにすることを目的とする。
【課題を解決するための手段】
【０００４】  第１の発明（請求項１の発明）は、上部に連続する突条を備える堤形態のコンクリート建造物の成形方法であり、前記突条の形成部位の一方側面に、成形用の面プレートにコンクリート導入用の開口が形成された型枠プレートを前記面プレートが沿うように配置し、前記開口から前記型枠プレートが組まれて形成される型枠内に、コンクリートを前記突条の形成部位の上端位置に達するように導入し、前記開口を閉じた状態においてコンクリートの固化を行う、ことを特徴とする。【０００５】  上記構成の成形方法によれば、型枠の成形用の面プレートのコンクリート導入用の開口から導入されるコンクリートが型枠内の突条の形成部位の上端位置に達することで、型枠に沿った所定の形態の突条を持つ堤形態のコンクリート建造物が成形される。【０００６】  第２の発明（請求項２の発明）は、成形用の面プレートと、前記面プレート背面に配置されるホッパー部とを備え、前記面プレートに、前記面プレートが使用されて構成される型枠内と前記ホッパー部内とを連通するコンクリート導入用の開口が開閉可能に設けられるとともに、前記ホッパー部の下部にコンクリート排出用の開口が開閉可能に設けられてなることを特徴とする型枠装置を提供する。【０００７】  上記構成の型枠装置によれば、ホッパー部内に供給したコンクリートがコンクリート導入用の開口を通して型枠内に至り、コンクリート導入用の開口を閉じた状態において型枠が密封状態に完成される。コンクリート排出用の開口が開かれることで、ホッパー部内に残るコンクリートが取り出される。
【発明の効果】
【０００８】  第１の発明によれば、上部に連続する突条を備える堤形態のコンクリート建造物を、容易に、かつ、突条を所定の形態に美しく建造できる。第２の発明によれば、型枠装置からコンクリートを導入することでコンクリート建造物が成形でき、この型枠装置を用いることで、上部に連続する突条を備える堤形態のコンクリート建造物を、容易に、かつ、突条を所定の形態に美しく建造できる。
【図面の簡単な説明】
【０００９】
【図１】  この発明の型枠装置の実施形態の前面側斜視図
【図２】  この発明の型枠装置の実施形態の背面側斜視図
【図３】  この発明の型枠装置の実施形態の要部断面図
【図４】  この発明の型枠装置の実施形態の要部断面図
【図５】  この発明の型枠装置の実施形態の使用説明略図
【図６】  この発明の型枠装置の実施形態の使用説明略図
【発明を実施するための形態】
【００１０】  図１は型枠装置の前面側斜視図、図２は同背面側斜視図である。型枠装置１は成形用の面プレート２の背面に補強枠材４が一体とされた型枠プレート５の背面中央に、上方をコンクリート投入口６とするホッパー部７が溶接により固定されて構成されている。
【００１１】  ８は第１開閉プレートで、面プレート２の中央において上方に切り欠かれた部分に面一に配置される。第１開閉プレート８は、図３に示すように、両側縁の外側に沿ってスライド縁９、９が一体に固定され、このスライド縁９、９が面プレート２の切り欠かれた部分の両側縁の外側に沿って取り付けられたガイド部材１０、１０内に配置され、これにより第１開閉プレート８は上下にスライド移動可能とされている。図１、図２に示す状態において、型枠プレート５が組まれて構成される型枠内とホッパー部７内とを連通するコンクリート導入用の開口１１が閉じられており、第１開閉プレート８が上方に移動されて取り外されることでコンクリート導入用の開口１１が開かれる。
【００１２】  １２は第２開閉プレートで、図４に示すように、ホッパー部７の下部に出し入れ可能に取り付けられ、第２開閉プレート１２は、図１、図２の差し入れられた状態でホッパー部７下面のコンクリート排出用の開口１３を閉じ、第２開閉プレート１２が引き出されることでコンクリート排出用の開口１３が開かれる。
【００１３】  次に型枠装置１の使用について説明する。型枠装置１は、図５、図６に示すように、上部に連続する突条１５を備える堤形態のコンクリート建造物１６を形成する際に使用され、他の型枠パネル１７と一体に組まれて型枠Ｋを形成するように用いられる。型枠装置１は、コンクリート建造物１６の突条１５の形成部位に連続する一方側面に、面プレート２が沿うように配置され、複数のものがコンクリート建造物１６の長手方向に沿って並設されて用いられる。その際、型枠装置１と突条１５を形成するように組まれる型枠パネル１７のパネル面１９の端縁１９ａ位置が、型枠装置１の開かれたコンクリート導入用の開口１１の途中高さに位置するように型枠装置１は組み付けられている。
【００１４】  並設されるそれぞれの型枠装置１において、第１開閉プレート８が外されて開口１１が開かれ第２開閉プレート１２が取り付けられて開口１３が閉じられた状態とされ、液状のコンクリートが上方のコンクリート投入口６からホッパー部７内に供給されると、コンクリートは開口１１を通して型枠Ｋ内に導入される。その際、ホッパー部７内にパネル１７のパネル面１９の端縁１９ａより高くなる位置までコンクリートを供給することで突条１５の形成部位にまでコンクリートが至る。次に第１開閉プレート８を上方から差し入れて開口１１が閉じられることで型枠Ｋは密閉状態となり、この状態においてコンクリートの固化が進められる。一方第２開閉プレート１２が引き抜かれて開口１３が開かれることでホッパー部７内に残る液状のコンクリートが排出される。
【００１５】  コンクリートの固化後に型枠パネル１７、型枠装置１がそれぞれ取り外されることで、上部に連続する突条１５を備える堤形態のコンクリート建造物１６が得られる。型枠装置１はホッパー部７内に固化したコンクリートが残っていないので、再度の使用が支障なく行われる。
【符号の説明】
【００１６】１    型枠装置
２    面プレート
５    型枠プレート
７    ホッパー部
１１  コンクリート導入用の開口
１３  コンクリート排出用の開口
１５  突条コンクリート建造物
１６  コンクリート建造物
Ｋ    型枠
【図１】
0005510682.tif 000002
【図２】
0005510682.tif 000003
【図３】
0005510682.tif 000004
【図４】
0005510682.tif 000005
【図５】
0005510682.tif 000006
【図６】
0005510682.tif 000007